(57)【要約】【課題】改良されたファイルホルダを提供すること。【解決手段】ファイルホルダは補強された容器と、カバー及び容器本体間の係合を確実にするための施錠機構と、容器内に受け入れられた第１の包袋と、容器内で互いに関連付けられた複数の第２の包袋とを含み、補強ボードの移動により容器外に全ての第２の包袋が引き出される。【選択図】図１
0003115384.tif 000002
【実用新案登録請求の範囲】
【請求項１】
補強された容器であって該容器の開口を選択的に閉じるためのカバー（１１）を有する容器（１）と、
前記カバー（１１）と前記容器（１）の本体との間の係合を確実にするための前記容器（１）に据え付けられた施錠機構（６）と、
前記容器（１）の開口を規定する底面に連結された底面を有する第１の包袋（２）であってこれにより前記第１の包袋が前記容器（１）に関して不動である、第１の包袋（２）と、
互いに及び前記第１の包袋（２）に連続するように関連付けられた複数の第２の包袋（３）であって前記容器（１）の内部に可動に受け入れられた第２の包袋（３）と、
前記容器（１）の内部に滑動可能に受け入れられかつ最後方の第２の包袋（３）と確実に係合された、補強されたボード（５）であってこれにより該ボードの運動が前記容器（１）の第２の包袋（３）を連続的に引き出すことが可能である補強されたボード（５）とを含む、ファイルホルダ。
【請求項２】
前記第１の包袋（２）は、さらに、前記第１の包袋（２）の後部側面から折り畳み可能に伸びる第１のフラップに打ち抜きにより形成された取付部（２１１）を有し、
各第２の包袋（３）は該第２の包袋の後部側面から折り畳み可能に伸びる第２のフラップに打ち抜きにより形成された第２の取付部（３１１）と、前記第２の包袋（３）の前部側面に打ち抜かれた２つの舌部（３２）間に挟み込まれる前記第２の包袋（３）の前部側面を通して規定されたスリット（３３）とを有し、
前記第１の取付部（２１１）は前記最前方の第２の包袋（３）のスリット（３３）に受け入れられ、２つの隣接する第２の包袋の前記第２の取付部（３１１）は前記第１の包袋（２）に関して後方における前記第２の包袋（３）のスリット（３３）に受け入れられる、請求項１に記載のファイルホルダ。
【請求項３】
前記施錠機構（６）は、前記容器（１）のカバー（１１）に据え付けられた舌部（６１）であって該舌部から伸びる突起（６１１）を有しまた鍵穴（６１２）が設けられた舌部（６１）と、
前記容器（１）の前部側面に据え付けられ貫通穴（６２１）を有するハウジング（６２）と、
前記ハウジング（６２）内に可動に受け入れられ指部（６３１）を有する弾性部材（６３）であって前記指部（６３１）が前記ハウジング（６２）の貫通穴（６２１）と突起（６１１）の鍵穴（６１２）とに伸張可能であり、前記鍵穴（６１２）が前記貫通穴（６２１）と整合した後に前記カバー（１１）と前記容器（１）の本体との間の係合を確実にする弾性部材とを備え、
前記第１の包袋（２）は第１の開口（２０）と、前記第１の包袋（２）の後部側面から折り畳み可能に伸びる第１のフラップ（２１）と、前記第１の包袋（２）の後部側面に規定された第１のスリット及び穴の組み合わせ（２３）とを有し、
前記第２の包袋（３）のそれぞれは第２の開口（３０）と、前記第２の包袋（３）の後部側面から折り畳み可能に伸び、また打ち抜きにより形成された第２の突起（３１１）を有する第２のフラップ（３１）と、前記第２の包袋（３）の前部側面に打ち抜かれた２つの舌部（３２）と、該２つの舌部（３２）間に規定されたスリット（３３）と、前記第２の包袋（３）の後部側面に並列に規定された第２のスリット及び穴の組合せとを備え、
前記第１のフラップ（２１）は最前方の第２の包袋（３）の第２の開口（３０）に受け入れられ、２つの隣接する第２の包袋（３）の第２のフラップ（３１）は前記第１の包袋（２）に関して後方における前記第２の包袋（３）の第２の開口（３０）に受け入れており、
前記最前方の第２の包袋（３）の舌部（３２）は前記第１の包袋（２）の第１のスリット及び穴の組合せに受け入れられ、２つの隣接する第２の包袋（２）の舌部（３２）は前記第１の包袋（２）に関して後方における前記第２の包袋（３）の第２のスリット及び穴の組合せに受け入れられている、請求項１または２に記載のファイルホルダ。
【考案の詳細な説明】
【技術分野】
【０００１】
本考案は、ファイルホルダ、より詳細には互いに連結された包袋を有するファイルホルダに関する。
【背景技術】
【０００２】
従来のファイルホルダが図７、図８及び図９に示されており、前記ファイルホルダには主ポケット７と複数の補助ポケット８とが設けられている。主ポケット７には開口７０と、主ポケット７の後部側面から折り畳み可能に伸びるカバー７２と、主ポケット７の前部側面から打ち抜かれた２つの舌部７３と、主ポケット７の後部側面に形成された弾性リング７４と、カバー７２の前面に形成された突起部７５と、主ポケット７の前部側面に規定された第１のスリット７６とが設けられている。
【０００３】
補助ポケット８のそれぞれは互いに連結され、開口８０と、補助ポケット８の後部側面から折り畳み可能に伸びるカバー８２であって打ち抜きにより形成された取付部８２１を有するカバー８２と、補助ポケット８の前部側面から打ち抜かれた２対の舌部８３と、補助ポケット８の後部側面に並列に規定されたスリット８４１及び穴８４２の組合せ（８４）と、２つの舌部８３間に規定された第２のスリット８５とを備える。
【０００４】
組み立てに際し、各第２のポケット８のカバー８２は、取付部８２１がその前の補助ポケット８の対応する第２のスリット８５に挿入されるように、その前の補助ポケット８の開口８０内に受け入れられる。次に、最後の補助ポケット８のカバー８２は、取付部８２１が主ポケット７の第１のスリット７６に挿入されるように、主ポケット７の開口７０に挿入される。さらに、主ポケット７の２つの舌部７３は対応する穴８４２を通して挿入され、次いでスリット８４１に挿入され、各補助ポケット８の舌部８３がその前方にある補助ポケット８の対応する穴８４２とスリット８４１とに挿入される。したがって、補助ポケット８が互いに連結され、取付部８２１が主ポケット７の第１のスリット７６に挿入されるように最後の補助ポケット８が主ポケット７に取り外し可能に連結されるとき、前記従来のファイルホルダは使用の準備が整う。
【０００５】
図７及び図９から分かるように、弾性リング７４が突起部７５との係合を解除された後は、補助ポケット８は主ポケット７から連続して落下する。しかし、舌部８３及び補助ポケット８における組み合わせ８４並びに最後の補助ポケット８の組み合わせ８４における舌部７３間の相互連結のため、補助ポケット８は互いにぶら下がる。その結果、多量の紙が補助ポケットの任意の一つに挿入されると、補助ポケット８は変形し、該補助ポケット内に収容された書類はそこから外に落ちる。
【考案の開示】
【考案が解決しようとする課題】
【０００６】
この欠点を解消するため、本考案は改良されたファイルホルダの提供を企図し、前記した問題を軽減する。
【課題を解決するための手段】
【０００７】
本考案は、ファイルホルダに係り、補強された容器であって該容器の開口を選択的に閉じるためのカバーを有する容器と、前記カバーと前記容器の本体との間の係合を確実にするための前記容器に据え付けられた施錠機構と、前記容器の開口を規定する底面に連結された底面を有する第１の包袋であってこれにより前記第１の包袋が前記容器に関して不動である、第１の包袋と、互いに及び前記第１の包袋に連続するように関連付けられた複数の第２の包袋であって前記容器の内部に可動に受け入れられた第２の包袋と、前記容器の内部に滑動可能に受け入れられかつ最後方の第２の包袋と確実に係合された、補強されたボードであってこれにより該ボードの運動が前記容器の第２の包袋を連続的に引き出すことが可能である補強されたボードとを含む。
【０００８】
前記第１の包袋は、さらに、前記第１の包袋の後部側面から折り畳み可能に伸びる第１のフラップに打ち抜きにより形成された取付部を有し、各第２の包袋は該第２の包袋の後部側面から折り畳み可能に伸びる第２のフラップに打ち抜きにより形成された第２の取付部と、前記第２の包袋３の前部側面に打ち抜かれた２つの舌部間に挟み込まれる前記第２の包袋の前部側面を通して規定されたスリットとを有し、前記第１の取付部は前記最前方の第２の包袋のスリットに受け入れられ、２つの隣接する第２の包袋の前記第２の取付部は前記第１の包袋に関して後方における前記第２の包袋のスリットに受け入れられるものとすることができる。
【０００９】
また、前記施錠機構は、前記容器のカバーに据え付けられた舌部であって該舌部から伸びる突起を有しまた鍵穴が設けられた舌部と、前記容器の前部側面に据え付けられ貫通穴を有するハウジングと、前記ハウジング内に可動に受け入れられ指部を有する弾性部材であって前記指部が前記ハウジングの貫通穴と突起の鍵穴とに伸張可能であり、前記鍵穴が前記貫通穴と整合した後に前記カバーと前記容器の本体との間の係合を確実にする弾性部材とを備え、前記第１の包袋は第１の開口と、前記第１の包袋の後部側面から折り畳み可能に伸びる第１のフラップと、前記第１の包袋の後部側面に規定された第１のスリット及び穴の組み合わせとを有し、前記第２の包袋のそれぞれは第２の開口と、前記第２の包袋の後部側面から折り畳み可能に伸び、また打ち抜きにより形成された第２の突起を有する第２のフラップと、前記第２の包袋の前部側面に打ち抜かれた２つの舌部と、該２つの舌部間に規定されたスリットと、前記第２の包袋の後部側面に並列に規定された第２のスリット及び穴の組合せとを備え、前記第１のフラップは最前方の第２の包袋の第２の開口に受け入れられ、２つの隣接する第２の包袋の第２のフラップは前記第１の包袋に関して後方における前記第２の包袋の第２の開口に受け入れており、前記最前方の第２の包袋の舌部は前記第１の包袋の第１のスリット及び穴の組合せに受け入れられ、２つの隣接する第２の包袋の舌部は前記第１の包袋に関して後方における前記第２の包袋の第２のスリット及び穴の組合せに受け入れられているものとすることができる。
【考案を実施するための最良の形態】
【００１０】
図１及び図２を参照すると、本考案に係るファイルホルダは容器１と、該容器内にそれぞれ受け入れられた複数の包袋とを含む。前記包袋は第１の包袋２と、複数の第２の包袋３と、最後の包袋４とに分けられている。
【００１１】
容器１は補強されたプラスチックで形成され、容器１には開口１０と、該開口を規定する側面に折り畳み可能に接続されたカバー１１と、容器１の後部側面に規定された案内スリット１２とが設けられている。
【００１２】
第１の包袋２は開口２０と、第１の包袋２の後部側面から折りたたみ可能に伸びかつ打ち抜きにより形成された取付部２１１を有するフラップ２１と、第１の包袋２の後部側面に規定されたスリット及び穴の組合せ２３とを備える。
【００１３】
第２の包袋３はそれぞれ開口３０と、第２の包袋３の後部側面から折り畳み可能に伸びかつ打ち抜きにより形成された取付部３１１を有するフラップ３１と、第２の包袋３の前部側面に打ち抜かれた２つの舌部３２と、これらの２つの舌部間に規定されたスリット３３と、第２の包袋３の後部側面に並列に規定されたスリット及び穴の組合せとを備える。第２の包袋３の前記スリット及び穴の組合せは第１の包袋２のそれと同じ構成を有するが、第２の包袋３のスリット及び穴の組合せは簡潔性のために図面には示されていない。
【００１４】
最後の包袋４は、補強されたボード５が一の第２の包袋３の後部側面と確実に係合していることを除き、第２の包袋３のそれぞれと同じ構成を有し、また補強ボード５には、容器１の案内スリット１２に対応する補強ボードの底部に形成された突起５１が設けられている。さらに、各第２の包袋３には該第２の包袋の後部側面から伸びる識別部３５が設けられ、また補強ボード５にはその頂部周縁から伸びる伸長部５２が設けられている。
【００１５】
図２を用いて図３を参照すると、第１の包袋２の底部は容器１の内部底面に確実に接合されている。加えて、各第２の包袋３の舌部３２は、２つの隣接する第２の包袋３間の相互関係を作るためにすぐ前の第２の包袋３のスリット及び穴の組合せに受け入れられている。また、各第２の包袋３の取付部３１１は、隣接する第２の包袋３間の相互関係を強化するためにすぐ前の第２の包袋３のスリット３３に受け入れられている。その後、第１の包袋２が容器１の内部底面に確実に接合され、また互いに関係付けられている第２の包袋３の一方に接合されていることから、伸長部５２を引くことによって補強ボード５を動かすことにより、容器１から第２の包袋３が連続的に引かれる。
【００１６】
図４及び図５を参照すると、カバー１１が開かれかつ第２の包袋３が前記容器から引き出されるとき、突起５１が案内スリット１２により案内され、案内スリット１２の末端に移動される。しかし、第２の包袋３が容器１内に受け入れられ、カバー１１が容器１の開口を閉じるために使われた後、突起５１が案内スリット１２の基部端へ滑動する。
【００１７】
図６を参照すると、本考案に係るファイルホルダは、さらに、カバー１１と前記容器の本体との間の係合を確実にするための施錠機構６を有する。施錠機構６はＬ形の舌部６１と、ハウジング６２と、弾性部材６３とを含む。
【００１８】
舌部６１は該舌部から伸びる突起６１１であって該突起を経て規定された鍵穴６１２を有する。ハウジング６２には舌部６１の突起６１１に対応する貫通穴６２１と、ハウジング６２内の２つの相対する側部にそれぞれ形成された２つの止め部６２２とが設けられている。弾性部材６３にはハウジング６２の貫通穴６２１へ伸びる指部６３１と、弾性部材６３の２つの相対する側部からそれぞれ伸びハウジング６２の底部側面に近接する２つの腕部６３２が設けられている。本考案の施錠機構が組み立てられる際、２つの腕部６３２がそれぞれ２つの止め部６２２と隣接しかつ指部６３１がハウジング６２の貫通穴６２１内に伸びるように弾性部材６３がハウジング６２の内部に受け入れられた後、ハウジング６２が容器１の本体の前部側面の外部側面に取り付けられる。次に、舌部６１がカバー１１の外部側面に取り付けられた後、突起６１１は貫通穴６２１へ挿入可能とされる。突起６１１が貫通穴６２１内に挿入された後、指部６３１が先ず貫通穴６２１からさらにハウジング６２内へと押される。しかし、鍵穴６１２が貫通穴６２１と整合した後、貫通穴６２１から指部６３１を離す力が存在しないため、２つの腕部６３２からの復元力により指部６３１が貫通穴６２１内に戻り、これにより、本考案の容器の開口のカバー１１による囲いを確実にするため、指部６３１は舌部６１の鍵穴６１２内に伸張することができる。
【００１９】
前記した説明から、本考案のファイルホルダは、補強されたプラスチック製の容器１の閉じ込めのために通常の方法で書類を収容することができる。
【図面の簡単な説明】
【００２０】
【図１】本考案のファイルホルダの斜視図である。
【図２】本考案のファイルホルダの分解斜視図である。
【図３】容器の内部の包袋の連続した配列を示す斜視図である。
【図４】容器が案内スリットを有し突起が案内スリット内に受け入れられかつ案内されていることを示す斜視図である。
【図５】施錠機構により施錠がされた後に包袋が容器の内部に確実にしまい込まれることを示す斜視図である。
【図６】開状態にある容器の斜視図であり、本考案の施錠機構を示す。
【図７】開状態にある従来のファイルホルダを示す斜視図である。
【図８】従来のファイルホルダの分解斜視図である。
【図９】弾性リングが突起に係合された後、補助ポケットが主ポケット内に受け入れられていることを示す斜視図である。
【符号の説明】
【００２１】
１  容器
２  第１の包袋
３  第２の包袋
５  補強ボード
６  施錠機構
１１  カバー
【図１】
0003115384.tif 000003
【図２】
0003115384.tif 000004
【図３】
0003115384.tif 000005
【図４】
0003115384.tif 000006
【図５】
0003115384.tif 000007
【図６】
0003115384.tif 000008
【図７】
0003115384.tif 000009
【図８】
0003115384.tif 000010
【図９】
0003115384.tif 000011